(57)【要約】【課題】打継部における目地形成を不要とする土間コンクリートの施工方法および打継用治具を提供する。【解決手段】空洞形成部を有する骨格１０と、骨格１０に支持されたコンクリート天端レベル出し部材２０と、骨格１０に張られた網目を有するコンクリート留め部材３０とを備えて骨格１０により自立させられる打継用治具Ｊを、土間コンクリートＣの打継部のレベル出しがなされた捨てコンの上にセットしてコンクリートの打設をなすものである。【選択図】図１
2007321384.tif 000002
【特許請求の範囲】
【請求項１】
打ち継ぎがなされる土間コンクリートの施工方法であって、
砕石下地の打継部に対応する箇所に捨てコンをしてそのレベル出しを行う手順と、
レベル出しがなされた捨てコン上に、自立可能かつ空洞形成可能とされた打継用治具をセットする手順と、
所定の領域にコンクリートを打設する手順と、
所定の養生をなした後、打継用治具のコンクリート天端レベル出し部材を撤去する手順と、
コンクリートの打ち継ぎをなす手順と、
打継部を除いて土間コンクリートに目地を所定配置にて形成する手順
とを含んでいることを特徴とする土間コンクリートの施工方法。
【請求項２】
打ち継ぎがなされる土間コンクリートの施工方法に用いられる打継用治具であって、
前記打継用治具が、空洞形成部を有する骨格と、前記骨格に支持されたコンクリート天端レベル出し部材と、前記骨格に張られた網目を有するコンクリート留め部材とを備え、  
前記打継用治具が、前記骨格により自立させられてなる
ことを特徴とする打継用治具。
【請求項３】
空洞形成部を有する骨格が、ベース枠部材と、前記ベース枠部材に所定間隔で立設された空洞形成枠部材と、前記空洞形成枠部材に渡された棟部材と、前記空洞形成枠部材または前記棟部材から所定間隔で立設された支持部材とを備えてなることを特徴する請求項２記載の打継用治具。
【請求項４】
空洞形成枠部材の高さが、有効目地深さとされてなることを特徴する請求項３記載の打継用治具。
【発明の詳細な説明】
【技術分野】
【０００１】
本発明は土間コンクリートの施工方法およびそれに用いる打継用治具に関する。さらに詳しくは、打ち継ぎがなされる土間コンクリートの施工方法およびそれに用いる打継用治具に関する。
【背景技術】
【０００２】
従来より、大面積のコンクリート土間の施工においては、コンクリートの打ち継ぎにより所望面積のコンクリート土間の形成がなされている。この打ち継ぎおいては、図４および図５に示すように、コンクリート天端Ｌに対応するレベルにアングル材（山形鋼）をその背１１１をコンクリートが打設される側に向けて位置させてコンクリート天端レベル部材１１０とし、それを支持部材１２０により適宜間隔で支持するとともに、コンクリートが打設される側にメタルラス１３０を張った治具１００が用いられている。
【０００３】
しかるに、この治具１００は、施工現場において製作がなされるいわゆる現場製作物であるところから、施工が煩雑となるとともに、施工コストの増大を招来しているという問題がある。
【０００４】
また、大面積のコンクリート土間においては、コンクリートの硬化時における収縮による亀裂が、土間コンクリートＣ表面にランダムに入るのを避けるため、格子状に目地の形成がカッターを用いてなされ、その目地部に亀裂が入るようにされている。このように目地部に亀裂が入るようにするためには、目地の深さは土間コンクリートＣの厚さの１／３程度とする必要があること、つまり有効目地深さとする必要があることが知られている。そのため、この目地形成も施工の煩雑化させる要因となっている。
【０００５】
この施工の煩雑化は、打継部に目地を形成する際に顕著となる。というのは、前記深さの目地を形成しようとすると、メタルラス１３０とカッターとが干渉してスムーズな作業がなし得ないからである。このことは、施工を煩雑化するばかりでなく、工期の長期化をも招来する。
【０００６】
かかるメタルラス１３０を用いた治具１００による施工の煩雑さを解消するため、目地型枠として目地板を用いて打ち継ぎがなされることもある。
【０００７】
しかしながら、目地板を用いた場合には、目地板に土間鉄筋の貫通孔を設けなければならず、その上その貫通孔に土間鉄筋を通す必要があるため、別の煩雑化を招来するという問題がある。この問題は、打継部における土間コンクリートＣの反りを防止するため、スリップバーが用いられた場合に、より一層顕著となる。
【発明の開示】
【発明が解決しようとする課題】
【０００８】
本発明はかかる従来技術の課題に鑑みなされたものであって、打継部における目地形成を不要とする土間コンクリートの施工方法および打継用治具を提供することを目的としている。
【課題を解決するための手段】
【０００９】
本発明の土間コンクリートの施工方法は、打ち継ぎがなされる土間コンクリートの施工方法であって、砕石下地の打継部に対応する箇所に捨てコンをしてそのレベル出しを行う手順と、レベル出しがなされた捨てコン上に、自立可能かつ空洞形成可能とされた打継用治具をセットする手順と、所定の領域にコンクリートを打設する手順と、所定の養生をなした後、打継用治具のコンクリート天端レベル出し部材を撤去する手順と、コンクリートの打ち継ぎをなす手順と、打継部を除いて土間コンクリートに目地を所定配置にて形成する手順とを含んでいることを特徴とする。
【００１０】
一方、本発明の打継用治具は、打ち継ぎがなされる土間コンクリートの施工方法に用いられる打継用治具であって、前記打継用治具が、空洞形成部を有する骨格と、前記骨格に支持されたコンクリート天端レベル出し部材と、前記骨格に張られた網目を有するコンクリート留め部材とを備え、前記打継用治具が、前記骨格により自立させられてなることを特徴とする。
【００１１】
本発明の打継用治具においては、空洞形成部を有する骨格が、例えば、ベース枠部材と、前記ベース枠部材に所定間隔で立設された空洞形成枠部材と、前記空洞形成枠部材に渡された棟部材と、前記空洞形成枠部材または前記棟部材から所定間隔で立設された支持部材とを備えてなるものとされる。その場合、空洞形成枠部材の高さが、有効目地深さとされてなるのが好ましい。
【発明の効果】
【００１２】
本発明によれば、打継用治具をレベル出しがなされた捨てコン上にセットするだけでよいので、打ち継ぎを必要とする土間コンクリートの施工の簡素化が図られるという優れた効果が得られる。
【００１３】
また、本発明によれば、打継部の下部に空洞が形成されるので、打継部の目地形成が不要となり、施工の簡素化および工期の短縮が図られるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
本発明の一実施形態に係る土間コンクリートの施工方法に用いられる打継用治具（以下、単に治具という）の斜視図を図１に示し、その使用状態を図２に示す。
【００１６】
治具Ｊは、図１に示すように、空洞形成部を有する骨格１０と、骨格１０に支持されたコンクリート天端レベル出し部材２０と、骨格１０に張られた網目を有するコンクリート留め部材３０とを備え、骨格１０により自立がなし得るようにされている。図中の符号４０はスリップバーを示し、符号Ｃは土間コンクリートを示し、符号Ｌはコンクリート天端を示す。
【００１７】
空洞形成部を有する骨格１０は、例えば鉄筋を折り曲げ成形してなるものを溶接接合して形成され、長方形状のベース枠部材１１と、ベース枠部材１１に適宜間隔で立設された多角形（図示例では三角形）の空洞形成枠部材１２と、空洞形成枠部材１２の頂部に渡された棟部材１３と、棟部材１３の例えば空洞形成枠部材１２に対応する位置から立設された支持部材１４とを備えてなるものとされる。
【００１８】
ここで、空洞形成枠部材１２の高さは、有効目地深さと同一とされる。つまり、空洞形成枠部材１２により形成される空洞Ｖが、目地と同様に機能するようにされている。空洞形成枠部材１２により形成される空洞Ｖの高さをこのようにすることにより、打継部における目地形成を不要とすることができ、施工の簡素化および工期の短縮が図られる。
【００１９】
コンクリート天端レベル出し部材２０は、例えばアングル（山形鋼）とされ、その垂直とされた背２１が支持部材１４に溶接接合される。この場合、図２に示すように、支持部材１４のコンクリートが打設される側とは反対側に接合されるのが、打ち継ぎの際におけるコンクリート天端レベル出し部材２０の撤去が容易となるので好ましい。
【００２０】
コンクリート留め部材３０は、例えばメタルラス（金網）とされる。
【００２１】
次に、かかる構成とされた治具Ｊを用いた土間コンクリートＣの施工について説明する。
【００２２】
手順１：砕石下地の打継部に対応する箇所に捨てコンをしてレベル出しを行う。
【００２３】
手順２：レベル出しがなされた捨てコン上に、予め工場にて製作された治具Ｊをセットする。
【００２４】
手順３：スリップバー４０を支持部材１４，１４間に張られているコンクリート留め部材３０の適宜位置に挿通する。
【００２５】
手順４：コンクリートを打設する。
【００２６】
手順５：スリップバー４０を適宜操作して打設されたコンクリートの反りを抑える。
【００２７】
手順６：所定の養生の後、コンクリート天端レベル出し部材２０を撤去する。
【００２８】
手順７：隣接部にコンクリートを打設して打ち継ぎを行う。
【００２９】
手順８：所定の養生の後、打継部を除いて土間コンクリートＣに目地を所定サイズの格子状に形成する。
【００３０】
この一連の手順により、所望面積のコンクリート土間が形成される。
【００３１】
このように、この実施形態によれば、レベル出しがなされた捨てコン上に予め工場にて製作された治具Ｊを設置するだけでコンクリートの打設がなし得るので、施工の簡素化が図られる。また、治具Ｊは有効目地深さ相当の高さを有する空洞Ｖを形成するよう構成されているので、打継部における目地形成を不要とすることができ、施工のより一層の簡素化が図られる。さらに、治具Ｊは空洞Ｖを形成するように構成されているので、使用する土間コンクリートＣの量が削減できる。
【００３２】
以上、本発明を実施形態に基づいて説明してきたが、本発明はかかる実施形態のみに限定されるものではなく、種々改変が可能である。例えば、実施形態では多角形は三角形とされているが、四角形や五角形とすることもできる。
【００３３】
また、図３に示すように、空洞形成枠部材１２と、支持部材１４とをいわゆる一本物から折り曲げ形成し、支持部材１４の立ち上がり部に棟部材１３を接合するようにしてもよい。
【産業上の利用可能性】
【００３４】
本発明は、打ち継ぎが必要とされる土間コンクリートの施工に適用できる。
【図面の簡単な説明】
【００３５】
【図１】本発明の一実施形態の土間コンクリートの施工方法に用いられる治具の斜視図である。
【図２】同治具の使用状態を示す図である。
【図３】骨格の他の例の正面図である。
【図４】従来の治具を用いた土間コンクリートの施工の概略を示す側面断面図である。
【図５】同背面図である。
【符号の説明】
【００３６】
１０      骨格
１１      ベース枠部材
１２      空洞形成枠部材
１３      棟部材
１４      支持部材
２０      コンクリート天端レベル出し部材
３０      コンクリート留め部材
４０      スリップバー
Ｊ      打継用治具
Ｃ      土間コンクリート
Ｌ      コンクリート天端
Ｖ      空洞
【図１】
2007321384.tif 000003
【図２】
2007321384.tif 000004
【図３】
2007321384.tif 000005
【図４】
2007321384.tif 000006
【図５】
2007321384.tif 000007